(57)【要約】【課題】ガラス製部品の周縁部にゴムモールを容易かつ安全に取り付けることができるゴムモール取付装置を提供する。【解決手段】ウエザーストリップ１２の上部リップ部１３と下部リップ部１４の開口部１６をガラス製部品１０の端面１７に押し付けて下部リップ部１４を下面１８に張り付かせてから、ウエザーストリップ１２を板厚方向に沿って上方へ移動させて上部リップ部１３をガラス製部品１０の上面１９に張り付かせることで、ガラス製部品１０の周縁部１１にウエザーストリップ１２を取り付ける。【選択図】図５
2014054879.tif 000002
【特許請求の範囲】
【請求項１】
無端状のゴムモールの長手方向に沿って互いに並行に形成された２本のリップ部間に、ガラス製部品の端部を嵌め込むことにより、前記ゴムモールを前記ガラス製部品の周縁部に取り付けるゴムモール取付装置であって、
前記ゴムモールを支持する挿入駒を介して、前記２本のリップ部を前記ガラス製部品の端面に押し付けることで、前記一方のリップ部を該ガラス製部品の一方の面に張り付かせ、
次いで、前記挿入駒を前記他方のリップ部へ向かう板厚方向へ移動させることで、該他方のリップ部を前記ガラス製部品の他方の面に張り付かせることを特徴とするゴムモール取付装置。
【請求項２】
前記ゴムモールがウエザーストリップである請求項１に記載のゴムモール取付装置。
【発明の詳細な説明】
【技術分野】
【０００１】
本発明はゴムモール取付装置に関し、更に詳しくは、ガラス製部品の周縁部にゴムモールを容易かつ安全に取り付けることができるゴムモール取付装置に関する。
【背景技術】
【０００２】
自動車の車体にガラス製部品を組み付ける際には、鋼製の車体部分とガラス製部品との間に、防水や振動防止を目的としてゴムモールを介在させることが行われている（例えば、特許文献１を参照）。特に、車体に常時固定される正面ガラスなどのガラス製部品については、無端状のゴムモールであるウエザーストリップをあらかじめガラス製部品の周縁部に取り付けてから、車体に組み付けるようになっている。このガラス製部品へのウエザーストリップの取り付けは、複数の作業員がウエザーストリップを外側へ引っ張り合ってガラス製部品の四隅に固定してから、その周縁部に沿って順次嵌め込んでいくという手作業により実施される。
【０００３】
従って、作業員には人手の感覚に関して高度な技能が求められるため、作業の習熟に時間を要するという問題があった。また、ウエザーストリップを人力で変形させるため、作業員の手首や腕に大きな負担が加わって、腱鞘炎などの労働災害が発生するおそれもあった。
【０００４】
そのため、ガラス製部品の周縁部にゴムモールを容易かつ安全に取り付けることができるゴムモール取付装置の実現が望まれていた。
【先行技術文献】
【特許文献】
【０００５】
【特許文献１】特開平１１−２２７４５６号公報
【発明の概要】
【発明が解決しようとする課題】
【０００６】
本発明の目的は、ガラス製部品の周縁部にゴムモールを容易かつ安全に取り付けることができるゴムモール取付装置を提供することにある。
【課題を解決するための手段】
【０００７】
上記の目的を達成する本発明のゴムモール取付装置は、無端状のゴムモールの長手方向に沿って互いに並行に形成された２本のリップ部間に、ガラス製部品の端部を嵌め込むことにより、前記ゴムモールを前記ガラス製部品の周縁部に取り付けるゴムモール取付装置であって、前記ゴムモールを支持する挿入駒を介して、前記２本のリップ部を前記ガラス製部品の端面に押し付けることで、前記一方のリップ部を該ガラス製部品の一方の面に張り付かせ、次いで、前記挿入駒を前記他方のリップ部へ向かう板厚方向へ移動させることで、該他方のリップ部を前記ガラス製部品の他方の面に張り付かせることを特徴とするものである。
【０００８】
このゴムモールとしては、ウエザーストリップが好適に用いられる。
【発明の効果】
【０００９】
本発明のゴムモール取付装置によれば、水平方向及び垂直方向に移動可能な挿入駒で支持されたゴムモールに形成された２本のリップ部を、ガラス製部品の端面に押し付けてから板厚方向へ移動させることで、それらのリップ部をガラス製部品の上下面にそれぞれ順に貼り付けるようにしたので、熟練の作業員が不要となるため、ガラス製品の周縁部にウエザーストリップを容易かつ安全に取り付けることができる。
【図面の簡単な説明】
【００１０】
【図１】本発明の実施形態からなるゴムモール取付装置の側面図である。
【図２】本発明の実施形態からなるゴムモール取付装置の正面図である。
【図３】本発明の実施形態からなるゴムモール取付装置をガラス製部品の曲面に倣わせた状態における正面図である。
【図４】ウエザーストリップの断面図である。
【図５】ウエザーストリップの取付作業の初期段階を説明する拡大断面図である。
【図６】初期段階におけるウエザーストリップの変形及び移動を示す拡大断面図である。
【図７】ウエザーストリップの取付作業の最終段階を説明する拡大断面図である。
【発明を実施するための形態】
【００１１】
以下に、本発明の実施の形態について、図面を参照して説明する。
【００１２】
図１及び図２は、本発明の実施形態からなるゴムモール取付装置を示す。
【００１３】
このゴムモール取付装置は、レール１に沿って移動するベース２に固定されたプレスシリンダ３と、そのベース２の水平方向にスライド可能である左右一対のガラス倣いシリンダ４、４と、それらガラス倣いシリンダ４、４上にそれぞれ回動部５、５を介して設置された左右一対のガラス倣いローラ６、６と、それらガラス倣いローラ６、６の中間位置に取り付けられたエアシリンダ７に接続するインサーションローラ８とから主に構成されている。
【００１４】
レール１に跨って自走するベース２に固定されたプレスシリンダ３を伸縮させることで、左右一対のガラス倣いシリンダ４、４はレール長手方向と直角方向にスライドするようになっている。そのガラス倣いシリンダ４は、上方向に伸縮可能なピストン軸９を有し、左右一対の回動部５、５及びガラス倣いローラ６、６、エアシリンダ７及びインサーションローラ８を支持している。
【００１５】
挿入駒であるインサーションローラ８は、ガラス倣いローラ６、６により支持された矩形で平板状のガラス製部品１０の周縁部１１に対向してウエザーストリップ１２を支持するものであり、ウエザーストリップ１２の車体側の形状に適合する互いに外径の異なる３つのローラから構成され、垂直方向に移動可能になるようにエアシリンダ７に接続している。
【００１６】
ガラス倣いシリンダ４には、図示しない圧力センサー及び制御回路が付属しており、図３に示すようにガラス製部品１０が曲面を有する場合でも、左右一対のガラス倣いローラ６、６が支持するガラス製部品１０の重量とバランスする圧力で、ガラス倣いシリンダ４のピストン軸９を伸縮させることにより、ガラス製部品１０を確実に支持することができるようになっている。なお、図３においては、ガラス倣いローラ６、６による支持構造を明確にするためウエザーストリップ１２を省略している。
【００１７】
ウエザーストリップ１２は、無端状のゴムモールの一種であり、図４に示すように、長手方向に沿って互いに並行に形成された上側リップ部１３及び下側リップ部１４を有している。それらの上側リップ１３及び下側リップ１４の反対側には、車体に嵌め込まれる車体側リップ部１５が複数形成されている。
【００１８】
このような構成を有するゴムモール取付装置を用いたウエザーストリップ１２の取付方法を以下に説明する。
【００１９】
まず、プレスシリンダ３を伸長させることにより、図５に示すように、インサーションローラ８を介してウエザーストリップ１２の上部リップ部１３と下部リップ部１４の開口部１６を、ガラス倣いローラ６、６により支持されたガラス製部品１０の端面１７に押し付ける。このとき、インサーションローラ８はウエザーストリップ１２の車体側リップ部１５に適合する形状を有しているため、ウエザーストリップ１２を確実に支持してガラス製部品１０との相対的位置を一定に保つことができる。
【００２０】
そのように押し付けると、図６に示すように、上部リップ部１３と下部リップ部１４との間の距離が拡がって、下側リップ部１４がガラス製部品１０の下面１８に押しやられて、下面１８に張り付くようになる。
【００２１】
そして、即座にエアシリンダ７を伸長させることにより、図７に示すように、インサーションローラ８を介してウエザーストリップ１２を端面１７に沿って上方へ押し上げると、上部リップ部１３がガラス製部品１０の上面１９の奥へ届いて上面１９に張り付くようになる。
【００２２】
以上の作業を、レール１に沿ってベース２を移動させながら繰り返し行うことにより、ガラス製部品１０の周縁部１１の全周にウエザーストリップ１２を取り付ける。
【００２３】
このように、インサーションローラ８に支持されたウエザーストリップ１２の上部リップ部１３と下部リップ部１４の開口部１６をガラス製部品１０の端面１７に押し付けて下部リップ部１４を下面１８に張り付かせてから、ウエザーストリップ１２を板厚方向に沿って上方へ移動させて上部リップ部１３をガラス製部品１０の上面１９に張り付かせるようにしたので、熟練の作業員が不要となるため、ガラス製部品１０の周縁部１１にウエザーストリップ１２を容易かつ安全に取り付けることができる。
【００２４】
本発明のゴムモール取付装置が対象とするガラス製部品１０には、自動車の車体に取り付けられる正面ガラスや背面ガラスなどの他に、例えば船舶や鉄道などの大型輸送手段や建築物などに組み付けられる大型ガラスも含まれることは言うまでもない。
【符号の説明】
【００２５】
１  レール
２  ベース
３  プレスシリンダ
４  ガラス倣いシリンダ
５  回動部
６  ガラス倣いローラ
７  エアシリンダ
８  インサーションローラ
９  ピストン軸
１０  ガラス製部品
１１  周縁部
１２  ウエザーストリップ
１３  上部リップ部
１４  下部リップ部
１５  車体側リップ部
１６  開口部
１７  端面
１８  下面
１９  上面
【図１】
2014054879.tif 000003
【図２】
2014054879.tif 000004
【図３】
2014054879.tif 000005
【図４】
2014054879.tif 000006
【図５】
2014054879.tif 000007
【図６】
2014054879.tif 000008
【図７】
2014054879.tif 000009